(57)【要約】【課題】ケージに対する係合を確実に維持することができる光トランシーバを提供する。【解決手段】一実施形態に係る光トランシーバは、挿抜方向に沿ってケージに挿抜される光トランシーバである。この光トランシーバは、ケージに挿抜される筐体２０と、筐体２０に回転可能に支持され、挿抜方向と交差する下方向に沿って回転するベール４０と、ケージに係合してケージからの光トランシーバの抜出を防ぐ突起６１を有するラッチ６０と、ラッチ６０を付勢するバネ部材５０と、を備え、ラッチ６０は、ベール４０の回転に連動して突起６１を上方向に引き上げることにより、ケージに対する突起６１の係合を解除し、バネ部材５０は、突起６１が下方に下がるようにラッチ６０を付勢する。【選択図】図１０
2019032442.tif 000002
【特許請求の範囲】
【請求項１】
第１方向に沿ってケージに挿抜される光トランシーバであって、
前記ケージに挿抜される筐体と、
前記筐体に回転可能に支持され、前記第１方向と交差する第２方向に沿って回転するベールと、
前記筐体に揺動可能に支持され、前記ケージが有する第１係合部に係合して前記ケージからの前記光トランシーバの抜出を防ぐ第２係合部を有するラッチと、
前記ラッチを付勢するバネ部材と、
を備え、
前記ラッチは、前記ベールの回転に連動して前記第２係合部を前記第２方向の反対方向に引き上げることにより、前記第１係合部に対する前記第２係合部の係合を解除し、
前記バネ部材は、前記第２係合部が前記第２方向に下がるように前記ラッチを付勢する、
光トランシーバ。
【請求項２】
前記筐体は、前記ベールを回転可能に支持する軸部を有し、
前記ラッチは、前記筐体に対して揺動可能に支持される揺動軸を有し、
前記軸部と前記揺動軸とは同一直線上に位置する、
請求項１に記載の光トランシーバ。
【請求項３】
前記バネ部材は、前記筐体に引っ掛けられる一対のフックと、前記フックから前記筐体に沿って延びる一対の壁部と、前記一対の壁部を連結する板状部と、前記板状部から延びるバネ部と、を備え、
前記バネ部が前記ラッチに当接することによって前記ラッチが付勢される、
請求項１又は２に記載の光トランシーバ。
【請求項４】
前記第１方向から見たときにおける前記一対の壁部及び前記板状部の形状は、Ｕ字状とされている、
請求項３に記載の光トランシーバ。
【請求項５】
前記バネ部材は、前記筐体に係合するカシメ部を備える、
請求項１〜４のいずれか一項に記載の光トランシーバ。
【請求項６】
前記カシメ部は、前記第１方向に互いに平行に延びる一対の第１孔部と、前記一対の第１孔部の間で延びる第２孔部とによって形成されている、
請求項５に記載の光トランシーバ。
【発明の詳細な説明】
【技術分野】
【０００１】
本発明は、光トランシーバに関するものである。
【背景技術】
【０００２】
特許文献１には、ホストシステムのケージに挿入される光トランシーバの構造が記載されている。この光トランシーバは、筐体の一端に位置するレセプタクルに対して回転自在に設けられるベールと、ベールに回転可能に装着されるアクチュエータとを備える。ベールの回転運動はアクチュエータのシーソー運動に変換される。アクチュエータはケージに係合する突起を有する。この突起が上記のシーソー運動によって筐体の内側に引き込まれることにより、ケージに対する光トランシーバの係合が解除される。
【先行技術文献】
【特許文献】
【０００３】
【特許文献１】特開２００５−３１７５４０号公報
【発明の概要】
【発明が解決しようとする課題】
【０００４】
前述した光トランシーバでは、ベールの回転によってアクチュエータがシーソー運動を行い、このシーソー運動で突起が引き込まれることにより、ケージへの係合が解除される。ところで、例えば意図せずベールが少し回転した場合、ケージに対する光トランシーバの係合が不安定となる懸念がある。このようにベールの意図しない回転で係合が不安定となることが想定されるため、ケージに対する光トランシーバの係合を確実に維持することが求められる。
【０００５】
本発明は、ケージに対する係合を確実に維持することができる光トランシーバを提供することを目的とする。
【課題を解決するための手段】
【０００６】
一形態に係る光トランシーバは、第１方向に沿ってケージに挿抜される光トランシーバであって、ケージに挿抜される筐体と、筐体に回転可能に支持され、第１方向と交差する第２方向に沿って回転するベールと、筐体に揺動可能に支持され、ケージが有する第１係合部に係合してケージからの光トランシーバの抜出を防ぐ第２係合部を有するラッチと、ラッチを付勢するバネ部材と、を備え、ラッチは、ベールの回転に連動して第２係合部を第２方向の反対方向に引き上げることにより、第１係合部に対する第２係合部の係合を解除し、バネ部材は、第２係合部が第２方向に下がるようにラッチを付勢する。
【発明の効果】
【０００７】
本発明の一形態によれば、ケージに対する係合を確実に維持することができる。
【図面の簡単な説明】
【０００８】
【図１】図１は、一実施形態に係る光トランシーバが挿抜される挿抜機構を示す斜視図である。
【図２】図２は、図１の光トランシーバの外観を示す斜視図である。
【図３】図３は、図１の光トランシーバの筐体、シールドフィンガ、ベール、バネ部材及びラッチを示す斜視図である。
【図４】図４は、図１の光トランシーバとケージとの係合を示す斜視図である。
【図５】図５は、図３のラッチを示す斜視図である。
【図６】図６は、図３のバネ部材を示す斜視図である。
【図７】図７は、ベールの回転、及びラッチの揺動を示す側面図である。
【図８】図８は、ベールの回転、及びラッチの揺動を示す側断面図である。
【図９】図９は、ベール、バネ部材及びラッチを示す側面図である。
【図１０】図１０は、ベール、バネ部材及びラッチを示す側断面図である。
【発明を実施するための形態】
【０００９】
［本発明の実施形態の説明］
最初に、本発明の実施形態の内容を列記して説明する。一実施形態に係る光トランシーバは、第１方向に沿ってケージに挿抜される光トランシーバであって、ケージに挿抜される筐体と、筐体に回転可能に支持され、第１方向と交差する第２方向に沿って回転するベールと、筐体に揺動可能に支持され、ケージが有する第１係合部に係合してケージからの光トランシーバの抜出を防ぐ第２係合部を有するラッチと、ラッチを付勢するバネ部材と、を備え、ラッチは、ベールの回転に連動して第２係合部を第２方向の反対方向に引き上げることにより、第１係合部に対する第２係合部の係合を解除し、バネ部材は、第２係合部が第２方向に下がるようにラッチを付勢する。
【００１０】
この光トランシーバは、ケージへの挿抜方向である第１方向に交差する第２方向に回転するベールと、ケージの第１係合部に係合する第２係合部を有するラッチとを備える。ラッチは光トランシーバの筐体に揺動可能に支持される。光トランシーバでは、ベールが第１方向と交差する第２方向に沿って回転すると、この回転に連動してラッチの第２係合部が第２方向の反対方向に引き上げられる。よって、ベールの回転に連動してラッチの第２係合部がケージの第１係合部から引き上げられることにより、ケージに対する光トランシーバの係合を解除することができる。光トランシーバは、第２係合部が第２方向に下がるようにラッチを付勢するバネ部材を備える。従って、ベールが意図せず少し回転したとしても、バネ部材が第２係合部を第２方向に押し下げることによって、第１係合部に対する第２係合部の係合が維持される。よって、ベールの意図しない回転によって係合が解除されることを抑制することができるので、ケージに対する光トランシーバの係合を確実に維持することができる。
【００１１】
また、筐体は、ベールを回転可能に支持する軸部を有し、ラッチは、筐体に対して揺動可能に支持される揺動軸を有し、軸部と揺動軸とは同一直線上に位置してもよい。この場合、ベールを回転可能に支持する筐体の軸部と、筐体に対して揺動可能に支持される揺動軸とが同一直線上に位置することにより、ベールの回転とラッチの揺動に関する構成を簡易にすることができる。従って、構成を簡易に維持しつつ、ベールに対するラッチの連動を実現することができる。
【００１２】
また、バネ部材は、筐体に引っ掛けられる一対のフックと、フックから筐体に沿って延びる一対の壁部と、一対の壁部を連結する板状部と、板状部から延びるバネ部と、を備え、バネ部がラッチに当接することによってラッチが付勢されてもよい。この場合、バネ部材が一対のフックによって筐体に引っ掛けられることにより、筐体にバネ部材を支持することができる。
【００１３】
また、第１方向から見たときにおける一対の壁部及び板状部の形状は、Ｕ字状とされていてもよい。この場合、バネ部材がＵ字状に折り曲げ成形されているので、バネ部材の強度を高めることができる。
【００１４】
また、バネ部材は、筐体に係合するカシメ部を備えてもよい。この場合、カシメ部によってバネ部材を筐体に係合することができるので、筐体に対するバネ部材の係合をより確実に維持することができる。
【００１５】
また、カシメ部は、第１方向に互いに平行に延びる一対の第１孔部と、一対の第１孔部の間で延びる第２孔部とによって形成されていてもよい。この場合、孔部を設けることによってカシメ部を容易に形成することができる。
【００１６】
［本発明の実施形態の詳細］
以下では、本発明に係る光トランシーバの具体例を図面を参照しながら説明する。なお、本発明は、以下の例示に限定されるものではなく、特許請求の範囲によって示され、特許請求の範囲と均等の範囲内における全ての変更が含まれることが意図される。図面の説明において、同一又は相当する要素には同一の符号を付し、重複する説明を適宜省略する。
【００１７】
図１は、本実施形態に係る光トランシーバ１０が挿抜される挿抜機構１を示す斜視図である。図１に示されるように、挿抜機構１は、ホスト装置２に設けられたケージ３を備える。ホスト装置２は、プリント配線基板２ａを備えており、プリント配線基板２ａの実装面２ｂ上には多数の電子部品が実装されている。
【００１８】
ケージ３は、実装面２ｂに実装されている。ケージ３は、挿抜方向（第１方向）Ｄ１に沿って延びるケージ本体３ａを備える。挿抜方向Ｄ１に垂直なケージ本体３ａの断面形状は、例えば長方形である。ケージ本体３ａは、光トランシーバ１０を収容する空間を有する。
【００１９】
ケージ本体３ａは、挿抜方向Ｄ１における上記の空間の一端に開口３ｂを有する。開口３ｂは、プリント配線基板２ａの縁に位置しており、プリント配線基板２ａの外方を向いている。ケージ３は例えば金属製である。なお、以降の説明では、ケージ３の開口３ｂとは反対側を向く方向（開口３ｂの奥側）を前方と称し、ケージ３の開口３ｂを向く方向（開口３ｂの手前側）を後方と称することがある。
【００２０】
光トランシーバ１０は、例えば、ＳＦＰ規格に準拠しており、全二重双方向光通信を行う。光トランシーバ１０は、挿抜方向Ｄ１に沿って、開口３ｂを通じてケージ本体３ａに対して挿抜（挿入及び抜出）される。光トランシーバ１０は、筐体２０、シールドフィンガ３０、ベール４０及びバネ部材５０を備える。
【００２１】
図２は、光トランシーバ１０の外観を示す斜視図である。図１及び図２に示されるように、筐体２０は、挿抜方向Ｄ１に沿って延びる細長形状とされている。筐体２０は金属製である。挿抜方向Ｄ１に垂直な筐体２０の断面形状は、例えば長方形状である。筐体２０は、挿抜方向Ｄ１に延びる一対の側面２１，２２（図３参照）と、上面２３と、底面２４（図３参照）とを有する。
【００２２】
筐体２０は、光ファイバケーブルＦ１，Ｆ２の先端に設けられた光コネクタＣ１，Ｃ２が係合する一対の光レセプタクル２５，２６を備える。光レセプタクル２５，２６は、筐体２０の挿抜方向Ｄ１の一端に設けられる。筐体２０は、更に、ケージ３の内部に設けられた電気コネクタに接続される電気プラグを、挿抜方向Ｄ１の他端に備える。なお、以下の説明では、筐体２０の他端側（電気プラグ側）を前方と称し、筐体２０の一端側（光レセプタクル２５，２６側）を後方と称することがある。
【００２３】
シールドフィンガ３０は、例えば、バネ要素を有する導電性機構部品である。シールドフィンガ３０は、ＥＭＩシールド部品であって、例えば、板金によって形成される。シールドフィンガ３０は、筐体２０の光レセプタクル２５，２６の前側を取り囲むように装着され、ケージ３と電気的及び物理的に接触する。
【００２４】
シールドフィンガ３０は、筐体２０を取り囲む胴体部３１と、胴体部３１から光レセプタクル２５，２６側に延びる複数のフィンガ部３２とを備える。胴体部３１は、筐体２０の側面２１，２２、上面２３及び底面２４を取り囲む。フィンガ部３２は、光トランシーバ１０の相手側となるケージ３と弾性的に接触する。
【００２５】
ベール４０は、光レセプタクル２５，２６を筐体２０の幅方向Ｄ２に掛け渡す取手部４１と、取手部４１の両端において折り曲げられて筐体２０に回転自在に連結する一対の連結部４２とを備える。各連結部４２は、筐体２０の側面２１，２２に沿って方向Ｄ３に延びている。方向Ｄ３は、挿抜方向Ｄ１及び幅方向Ｄ２の双方に交差（例えば直交）する方向である。連結部４２の下部において、筐体２０は、ベール４０を回転自在に連結する軸部２７を備えており、連結部４２の下部には軸部２７が挿し込まれる孔部４２ａが設けられる。
【００２６】
図３は、光トランシーバ１０を筐体２０の底面２４側から見た斜視図である。図４は、光トランシーバ１０及びケージ３を底面２４側から見た斜視図である。図３及び図４に示されるように、ケージ３のケージ本体３ａには底板３ｄが設けられている。底板３ｄは、ホスト装置２の実装面２ｂに対向する部分である。
【００２７】
底板３ｄには、板状のタブ３ｅが設けられている。タブ３ｅは、挿抜方向Ｄ１に沿って延び、タブ３ｅの前端は底板３ｄと繋がっており、タブ３ｅの後端は自由端となっている。タブ３ｅの後端は、方向Ｄ３に弾性的に撓むことが可能とされている。タブ３ｅは、貫通する孔部３ｃを有する。タブ３ｅの孔部３ｃは、本実施形態における第１係合部である。タブ３ｅの後端は、タブ３ｅがケージ３の外側に撓むようにケージ３の外側に向けて湾曲した湾曲部３ｆとされている。
【００２８】
光トランシーバ１０は、ベール４０の回転に連動するラッチ６０を更に備える。ラッチ６０は例えば金属製である。ラッチ６０は、筐体２０に揺動可能に支持される。ラッチ６０は、光トランシーバ１０の外方に突出する突起６１を備える。突起６１は、本実施形態における第２係合部である。突起６１は、ケージ３が有する孔部３ｃに係合する。突起６１が孔部３ｃに係合することにより、ケージ３からの光トランシーバ１０の抜出が防止される。
【００２９】
図５は、ラッチ６０を拡大した斜視図である。図３〜図５に示されるように、ラッチ６０は、光レセプタクル２５，２６側に位置する第１部分６２と、第１部分６２から前方に延び出す第２部分６３と、第２部分６３から前方に延び出す第３部分６４とを備える。第１部分６２の幅方向Ｄ２の長さは第２部分６３の幅方向Ｄ２の長さよりも長く、第２部分６３の幅方向Ｄ２の長さは第３部分６４の幅方向Ｄ２の長さよりも長い。
【００３０】
第１部分６２は、筐体２０の幅方向Ｄ２に向けられる一対の面６２ａのそれぞれから幅方向Ｄ２に突出する揺動軸６５を有する。各揺動軸６５は、例えば円柱状に突出している。揺動軸６５は、ベール４０の孔部４２ａよりも幅方向Ｄ２の内側に形成された穴４２ｃに挿入される。この機構によってベール４０の回転動作がラッチ６０の揺動動作に変換される。各揺動軸６５と前述した筐体２０の軸部２７とは幅方向Ｄ２に延びる直線上に位置する。ラッチ６０は、方向Ｄ３（上下方向、上面２３及び底面２４に交差する方向）に揺動（シーソ運動）する。
【００３１】
第２部分６３及び第３部分６４は、筐体２０の底面２４に形成された凹部２４ａに収容される。第３部分６４は筐体２０の外方（下方）に向けて突出する前述した突起６１を有する。突起６１は、例えば、第３部分６４の下面６４ａから直立する第１面６１ａと、突起６１の頂部６１ｃからラッチ６０の前側に位置する端部６６に向かって傾斜する第２面６１ｂと、幅方向Ｄ２に向けられる一対の第３面６１ｄとによって形成される。
【００３２】
第１部分６２、第２部分６３及び第３部分６４は、例えば、共に板状とされている。例えば、第２部分６３の厚さは、第１部分６２の厚さと同程度、又は第１部分６２の厚さよりも薄い。第３部分６４の厚さは、第２部分６３の厚さよりも薄い。また、第３部分６４の厚さは、第２部分６３から離れるに従って（突起６１に近づくに従って）薄くなっている。
【００３３】
バネ部材５０は、第１部分６２及び第２部分６３の底面２４側（下側）に配置されており、例えば第１部分６２を上方に付勢する。バネ部材５０は、ラッチ６０の突起６１が下方（第２方向）に下がるようにラッチ６０を付勢する。バネ部材５０は、例えば、金属板の切断加工及び折り曲げ加工によって形成される。
【００３４】
図６は、バネ部材５０を示す斜視図である。図６に示されるように、バネ部材５０は、筐体２０に引っ掛けられる一対のフック５１と、フック５１から筐体２０の側面２１，２２に沿って延びる一対の壁部５２と、一対の壁部５２を筐体２０の底面２４側で連結する板状部５３と、板状部５３から後方に延びるバネ部５４と、バネ部材５０の抜けを防止するカシメ部５５とを備える。
【００３５】
各フック５１は、各壁部５２から幅方向Ｄ２の内側且つ下側に折り返されており、各フック５１が光レセプタクル２５，２６の穴２５ａ，２６ａ（図２参照）に嵌まり込むことによってバネ部材５０が筐体２０に係合する。挿抜方向Ｄ１から見たときにおける一対の壁部５２及び板状部５３の形状は、例えばＵ字状とされている。
【００３６】
壁部５２は、フック５１に連続する保護壁部５２ａと、保護壁部５２ａの後側に位置する規制壁部５２ｂとを有する。また、規制壁部５２ｂはベール４０の前方への回転を規制する。規制壁部５２ｂは、保護壁部５２ａの下側から後方に突出しており、規制壁部５２ｂの後端面５２ｃは板状部５３の後端面５３ｃに連続している。
【００３７】
カシメ部５５は、壁部５２の板状部５３側に設けられる。カシメ部５５は、壁部５２を貫通すると共に挿抜方向Ｄ１に互いに平行に延びる一対の第１孔部５５ａと、一対の第１孔部５５ａの一端の間で上下に延びる第２孔部５５ｂとによって形成される。幅方向Ｄ２に沿って配置される一対のカシメ部５５が筐体２０の側面２１，２２のそれぞれに係合することによって、筐体２０からのバネ部材５０の抜けが防止される。
【００３８】
バネ部５４は、板状部５３の幅方向Ｄ２の中央から後方に突出している。バネ部５４は、板状部５３から斜め上方に延び出す第１部分５４ａと、第１部分５４ａの板状部５３との反対側の端部から斜め下方に延び出す第２部分５４ｂとを有する。第１部分５４ａ及び第２部分５４ｂは山状とされており、第１部分５４ａと第２部分５４ｂの間はバネ部５４の頂部５４ｃとされている。頂部５４ｃはラッチ６０に当接する部位である。頂部５４ｃがラッチ６０に当接することによって、ラッチ６０は付勢される。
【００３９】
図７及び図８は、それぞれ、ベール４０の回転に伴う各部品の動作を示す側面図及び側断面図である。図７及び図８に示されるように、ベール４０に指を触れてベール４０を下方（第２方向）に沿って回転すると、バネ部材５０の付勢力に抗して揺動軸６５が押し下げられると共に、揺動軸６５を中心としてラッチ６０が上方（第２方向の反対方向）に揺動し、突起６１が上方に移動する。このように、ベール４０の回転運動はラッチ６０の上下運動に変換される。すなわち、ベール４０を後方且つ下方に回転すると、バネ部材５０の付勢力に抗して揺動軸６５が下がると共に、ラッチ６０が揺動軸６５を中心として上方に揺動して突起６１が引き上げられ、これによりケージ３の孔部３ｃに対する突起６１の係合が解除される。
【００４０】
一方、ベール４０が上方且つ前方に戻ると、突起６１が下方に移動して孔部３ｃに挿入されることにより、光トランシーバ１０がケージ３に係合する。このとき、ラッチ６０が後方に下がりながら突起６１がケージ３の孔部３ｃに収容されるので、タブ３ｅに対する突起６１のスタックが回避される。
【００４１】
また、ベール４０から指を放すと、バネ部材５０（バネ部５４）が揺動軸６５を下から付勢することにより、ラッチ６０に対し、突起６１が下方に向かう付勢力が付与される。よって、ベール４０から指を放してもケージ３に対する光トランシーバ１０の係合が維持される。
【００４２】
次に、本実施形態に係る光トランシーバ１０の作用効果について詳細に説明する。光トランシーバ１０は、筐体２０の軸部２７に回転自在に取り付けられケージ３への挿抜方向Ｄ１に交差する下方向に回転するベール４０と、ケージ３の孔部３ｃに係合する突起６１を有するラッチ６０とを備える。ラッチ６０は光トランシーバ１０の筐体２０に揺動可能に支持される。光トランシーバ１０では、ベール４０が挿抜方向Ｄ１と交差する下方向に沿って回転すると、この回転に連動してラッチ６０の突起６１が上方向に引き上げられる。よって、ベール４０の回転に連動してラッチ６０の突起６１がケージ３の孔部３ｃから引き上げられることにより、ケージ３に対する光トランシーバ１０の係合を解除することができる。
【００４３】
光トランシーバ１０は、突起６１が下方向に下がるようにラッチ６０を付勢するバネ部材５０を有する。従って、ベール４０が意図せず少し回転したとしても、バネ部材５０が突起６１を下方に押し下げることによって、孔部３ｃに対する突起６１の係合が維持される。よって、ベール４０の意図しない回転によって係合が解除されることを抑制することができるので、ケージ３に対する光トランシーバ１０の係合を確実に維持することができる。
【００４４】
図９及び図１０に示されるように、バネ部材５０が設けられることにより、ベール４０が多少動いてもラッチ６０のラッチ解除がなされないので、ラッチ６０による係合を維持することができる。ベール４０から指が離されてベール４０がフリーな状態となっても、バネ部材５０がラッチ６０を下から押し上げることにより、ラッチ６０の動作を安定させることができる。更に、バネ部材５０がラッチ６０を下から押し上げる構成を採用することにより、バネ部材５０によってリリース力（係合解除に要する力）が決まるので、設計を容易に行うことができる。
【００４５】
また、筐体２０は、ベール４０を回転可能に支持する軸部２７を有し、ラッチ６０は、筐体２０に対して揺動可能に支持される揺動軸６５を有し、軸部２７と揺動軸６５とは同一直線上に位置する。よって、ベール４０を回転可能に支持する筐体２０の軸部２７と、筐体２０に対して揺動可能に支持される揺動軸６５とが同一直線上に位置することにより、ベール４０の回転とラッチ６０の揺動とを行う構成を簡易にすることができる。従って、構成を簡易に維持しつつ、ベール４０に対するラッチ６０の連動を実現することができる。
【００４６】
また、バネ部材５０は、筐体２０に引っ掛けられる一対のフック５１と、フック５１から筐体２０に沿って延びる一対の壁部５２と、一対の壁部５２を連結する板状部５３と、板状部５３から延びるバネ部５４と、を備え、バネ部５４がラッチ６０に当接することによってラッチ６０が付勢される。よって、バネ部材５０が一対のフック５１によって筐体２０に引っ掛けられることにより、筐体２０にバネ部材５０を支持することができる。
【００４７】
また、挿抜方向Ｄ１から見たときにおける一対の壁部５２及び板状部５３の形状は、Ｕ字状とされている。よって、バネ部材５０がＵ字状に折り曲げ成形されているので、バネ部材５０の強度を高めることができる。
【００４８】
また、バネ部５４は、山状とされており、バネ部５４の頂部５４ｃがラッチ６０に当接することによってラッチ６０が付勢される。バネ部５４の頂部５４ｃがラッチ６０に当接することにより、ラッチ６０に対するバネ部材５０の付勢力を高めることができる。よって、突起６１が下方に下がるようにラッチ６０を強く付勢することができるので、ケージ３に対する光トランシーバ１０の係合を確実に維持することができる。
【００４９】
また、バネ部材５０は、筐体２０に係合するカシメ部５５を備える。従って、カシメ部５５によってバネ部材５０を筐体２０に係合することができるので、筐体２０に対するバネ部材５０の係合をより確実に維持することができる。
【００５０】
また、カシメ部５５は、挿抜方向Ｄ１に互いに平行に延びる一対の第１孔部５５ａと、一対の第１孔部５５ａの間で延びる第２孔部５５ｂとによって形成されている。従って、孔部５５ａ，５５ｂを設けることによってカシメ部５５を容易に形成することができる。
【００５１】
以上、本発明に係る光トランシーバの実施形態について説明したが、本発明は、前述した実施形態に限定されない。すなわち、特許請求の範囲に記載された本発明の要旨の範囲内において、種々の変更が可能であることは、当業者によって容易に認識される。
【００５２】
前述の実施形態では、挿抜方向Ｄ１から見たときにおける一対の壁部５２及び板状部５３の形状がＵ字状とされているバネ部材５０を例示したが、バネ部材の形状、大きさ、数、材料及び配置態様は適宜変更可能である。更に、前述の実施形態では、第１部分６２、第２部分６３及び第３部分６４を備えたラッチ６０について説明したが、ラッチの形状、大きさ、数、材料及び配置態様も適宜変更可能である。
【符号の説明】
【００５３】
１…挿抜機構、２…ホスト装置、２ａ…プリント配線基板、２ｂ…実装面、３…ケージ、３ａ…ケージ本体、３ｂ…開口、３ｃ…孔部、３ｄ…底板、３ｅ…タブ、３ｆ…湾曲部、１０…光トランシーバ、２０…筐体、２１，２２…側面、２３…上面、２４…底面、２４ａ…凹部、２５，２６…光レセプタクル、２５ａ，２６ａ…穴、２７…軸部、３０…シールドフィンガ、３１…胴体部、３２…フィンガ部、４０…ベール、４１…取手部、４２…連結部、４２ａ…孔部、５０…バネ部材、５１…フック、５２…壁部、５２ａ…保護壁部、５２ｂ…規制壁部、５３…板状部、５４…バネ部、５４ａ…第１部分、５４ｂ…第２部分、５４ｃ…頂部、５５…カシメ部、５５ａ…第１孔部、５５ｂ…第２孔部、６０…ラッチ、６１…突起、６１ａ…第１面、６１ｂ…第２面、６１ｃ…頂部、６１ｄ…第３面、６２…第１部分、６２ａ…面、６３…第２部分、６４…第３部分、６４ａ…下面、６５…揺動軸、６６…端部、Ｃ１，Ｃ２…光コネクタ、Ｄ１…挿抜方向、Ｄ２…幅方向、Ｄ３…方向、Ｆ１，Ｆ２…光ファイバケーブル。
【図１】
2019032442.tif 000003
【図２】
2019032442.tif 000004
【図３】
2019032442.tif 000005
【図４】
2019032442.tif 000006
【図５】
2019032442.tif 000007
【図６】
2019032442.tif 000008
【図７】
2019032442.tif 000009
【図８】
2019032442.tif 000010
【図９】
2019032442.tif 000011
【図１０】
2019032442.tif 000012